【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】  人間の被験者における、警戒状態、嗜眠状態、睡眠、意識消失、または感覚消失に関する連続体に沿った状態を測定するために改造したシステムであって、
前記被験者からリズミカルな成分を持つ脳波を取得する手段と、
３０Ｈｚより上の周波数を含む予め定められた周波数範囲にある前記脳波の成分を選択する手段と、
前記選択手段に応答して、前記範囲にある前記成分に起因する前記脳波信号への寄与を決定する手段と、
前記寄与決定手段に応答して、前記被験者の前記状態を示す出力測定信号を生成する手段とを有するシステム。
【請求項２】  人間の被験者における、警戒状態、嗜眠状態、睡眠、意識消失、または感覚消失に関する連続体に沿った状態を測定するために改造したシステムであって、
前記被験者からリズミカルな成分を持つ脳波信号を取得する手段と、
３０Ｈｚより上を含む周波数範囲を規定する手段と、
前記範囲内の複数の周波数または周波数帯域を規定する前記規定した周波数範囲に応答して、前記取得した脳波信号の周波数内容を分析し、前記規定した周波数または周波数範囲の各々に対して、そのような周波数または前記周波数帯域での前記取得した脳波信号の成分に起因する寄与を決定する手段と、
前記周波数分析手段に応答して、前記被験者の状態を示す出力信号を出力する出力測定値決定手段とを有するシステム。
【請求項３】  人間の被験者における、警戒状態、嗜眠状態、睡眠、意識消失、または感覚消失に関する連続体に沿った状態を測定するために改造したシステムであって、
前記被験者からリズミカルな成分を持つ脳波信号を取得する手段と、
３０Ｈｚより上の周波数を含む周波数の範囲を規定する手段と、
前記範囲内の複数の周波数または周波数帯域を規定する前記規定した周波数の範囲に応答して、前記取得した脳波信号の周波数内容を分析し、前記規定した周波数または周波数帯域の各々に対して、そのような周波数または前記周波数帯域での前記取得した脳波信号の単一の成分または複数の成分に対応する振幅または振幅の分布を決定する手段と、
前記規定した周波数の各々に対しての前記対応する成分に含まれる電力または前記規定した周波数帯域の各々に対しての前記対応する成分に含まれる電力の分布を決定する電力決定手段と、
制限された数のスペクトル群を規定するスペクトル分類手段であって、前記スペクトル群は前記範囲の副範囲を規定しかつ少なくとも１つの前記規定した周波数または周波数帯域を含む、スペクトル分類手段と、
前記電力決定手段と前記スペクトル分類手段とに応答して、前記スペクトル群の各々に対して、そのような群に含まれる前記規定した周波数または周波数帯域に対応する複数の前記成分において表される総計エネルギを決定する群エネルギ決定手段と、
前記群エネルギ決定手段に応答して、前記被験者の前記状態を示す出力信号を出力する出力測定値決定手段とを有するシステム。
【請求項４】  人間の被験者における、警戒状態、嗜眠状態、睡眠、意識消失、または感覚消失に関する連続体に沿った状態を測定するために改造したシステムであって、
前記被験者から脳波信号を取得する手段と、
前記被験者から取得された前記脳波信号に応答する被験者状態分析手段であって、
（ａ）３０Ｈｚより上の周波数を含む第１の周波数範囲にある前記脳波信号の成分を選択し、
（ｂ）前記範囲にある前記成分に起因する前記脳波信号への寄与を決定し、および
（ｃ）少なくも前記予め定められた寄与に応答して、前記被験者の前記状態を表す出力測定信号を出力する、前記被験者状態分析手段を有するシステム。
【請求項５】  前記出力測定信号に応答して、前記被験者が嗜眠であることを示す非連続値出力信号を出力する閾値手段を更に有し、
前記閾値手段は、
前記出力測定信号に関連する閾値信号を決定する手段を有し、それによって、前記閾値は、前記被験者の規定された生理学的状態に対応する出力測定信号値の範囲を規定する、請求項４のシステム。
【請求項６】  前記閾値決定手段は、一般に、人間の被験者に適用可能であると信じられている予め選択された閾値を使用する、請求項５のシステム。
【請求項７】  前記閾値決定手段は、前記連続体に沿った知られた状態の間に前記被験者から得られた脳波信号に応答して前記被験者に対して決定された閾値を使用する、請求項６のシステム。
【請求項８】  前記システムの出力信号に応答して、前記被験者が完全に警戒でないことを示す警告を発する手段を更に有する、請求項４のシステム。
【請求項９】  前記被験者状態分析手段は、
少なくとも１つの脳波信号処理チャネルと、
各そのような脳波信号処理チャネルは、対応する周波数範囲に向けられており、前記対応する周波数範囲内に実質的にあるその成分に起因する前記被験者から得られた前記脳波信号に対する寄与を表す出力を供給し、
複数の前記脳波信号処理チャネルによって供給される前記出力に応答して、前記被験者の前記状態を示す前記出力測定信号を出力する手段とを有する、請求項４のシステム。
【請求項１０】  各脳波信号処理チャネルは、
前記得た脳波信号に応答して、前記対応する周波数範囲内の実質的にもっぱら脳波信号成分を通過させる周波数選択手段と、
該周波数選択手段の出力に応答して、予め規定された時間間隔の間の前記対応する周波数範囲内の前記脳波信号成分に含まれるエネルギを決定するエネルギ決定手段とを有し、
各脳波信号処理チャネルは、
前記エネルギ決定手段の出力に応答して、前記対応する周波数範囲内の前記脳波信号成分に含まれる前記エネルギの逆数を決定する手段をさらに有する、請求項９のシステム。
【請求項１１】  脳波信号取得手段を更に有し、該脳波信号取得手段は、
前記被験者から得られた前記脳波信号の表現を受けて、予め規定されたカットオフ周波数より上の信号成分を実質的に減衰させ、３０Ｈｚより上の前記範囲内の信号を提供するフィルタ手段と、
前記被験者から得られた前記脳波信号に応答して、前記脳波信号のディジタル表現を出力する変換手段を含む、請求項４のシステム。
【請求項１２】  前記被験者状態分析手段は、
前記脳波信号の前記ディジタル表現と前記範囲内の複数の周波数または周波数帯域を規定する前記第１の予め規定された周波数範囲とに応答して、前記取得した脳波信号の周波数内容を分析し、前記規定した周波数または周波数帯域の各々に対して、そのような周波数でまたはそのような周波数帯域内での前記脳波信号の単一の成分または複数の成分に対応する振幅または振幅の分布を決定する手段と、
前記規定した周波数の各々に対して、前記対応する成分内で表される電力または前記規定した周波数帯域の各々に対して、前記対応する成分内で表される電力分布を決定する電力決定手段と、
制限された数のスペクトル群を規定するスペクトル分類手段であって、前記スペクトル群の各々は、前記第１の予め規定された周波数範囲内の周波数を規定し、少なくとも１つの前記規定した周波数または周波数帯域を含む、スペクトル分類手段と、
前記電力決定手段と前記スペクトル分類手段とに応答して、前記スペクトル群の各々に対して、そのようなスペクトル群に含まれる前記規定した周波数または周波数帯域に対応する複数の前記成分で表される総計のエネルギを決定する群エネルギ決定手段と、
前記群エネルギ決定手段に応答して、前記被験者の前記状態を示す前記出力測定信号を出力する出力測定決定手段とを有する、請求項１１のシステム。
【請求項１３】  人間の被験者における、警戒状態、嗜眠状態、睡眠、意識消失、または感覚消失に関する連続体に沿った状態を測定するためのリズミカルな脳波信号を使用するシステムで使用され、前記システムは、前記被験者から脳波信号を得る手段と、前記脳波信号に応答して、前記被験者の脳波信号を、対応する複数の離散時間で前記脳波信号の振幅を表わす連続する複数のディジタルデータ要素に変換する手段とを持ち、そこから前記被験者の前記状態を示す出力測定信号を出力し、前記被験者の選択した生理学的状態に対応する出力測定信号値の範囲を規定する閾値を決定する方法は、
（ａ）時間期間にわたる前記被験者の前記脳波信号の振幅を表わす連続する複数のディジタルデータ要素を得、
（ｂ）前記被験者が前記連続体に沿った知られた状態にある間の期間に対応する、ステップ（ａ）において得られた前記ディジタルデータ要素の閾値決定セグメントを選択し、
（ｃ）前記閾値決定セグメントにおいて表わされる前記複数の離散時間間隔の各々で前記出力測定信号の値を決定し、
（ｄ）前記閾値決定セグメントにおいて表わされる前記複数の離散時間間隔の各々に対して、前記出力測定信号が前記離散時間間隔の間、アーティファクトによって汚染されているかどうかを決定し、
（ｅ）前記出力測定信号値から、前記出力測定値がアーティファクトによって汚染されている間の前記離散時間間隔に対応する実質的に全ての出力測定信号値を廃棄し、
（ｆ）前記被験者に対する知られた状態の基線出力測定値を、前記閾値決定セグメントにおいて表わされる前記離散時間間隔に対応する実質的に全ての廃棄されない出力測定信号値の結合した値として決定し、
（ｇ）前記被験者に対する前記知られた状態の基線出力測定値に予め定められた閾値係数を掛けて、前記選択した生理学的な状態に対応する前記被験者用の出力測定閾値を得る
ステップを含む方法。
【請求項１４】  人間の被験者から取得された脳波信号情報を分析するために使用され、前記脳波信号情報は、対応する複数の離散時間間隔で前記被験者の脳波信号の振幅を表わす連続する複数のディジタルデータ要素として表わされ、そこから、警戒状態、嗜眠状態、睡眠、意識消失、または感覚消失に関する連続体に沿った被験者の状態を示す出力測定信号を出力し、前記被験者が完全に警戒でないことを示す出力測定信号値の範囲を規定する閾値を決定する方法は、
（ａ）時間期間にわたる前記被験者のリズミカルな成分を含む脳波信号の振幅を表わす連続する複数のディジタルデータ要素を得、
（ｂ）前記被験者が覚醒状態にある間の期間に対応する、ステップ（ａ）において得られた前記ディジタルデータ要素の閾値決定セグメントを選択し、
（ｃ）前記閾値決定セグメントにおいて表わされる前記複数の離散時間間隔の各々で前記出力測定信号の値を決定し、
（ｄ）前記閾値決定セグメントにおいて表わされる前記複数の離散時間間隔の各々に対して、前記出力測定信号が前記離散時間間隔の間、アーティファクトによって汚染されているかどうかを決定し、
（ｅ）前記出力測定信号値から、前記出力測定値がアーティファクトによって汚染されている間の前記離散時間間隔に対応する実質的に全ての出力測定信号値を廃棄し、
（ｆ）前記被験者に対する知られた状態の基線出力測定値を、前記閾値決定セグメントにおいて表わされる前記離散時間間隔に対応する実質的に全ての廃棄されない出力測定信号値の結合した値として決定し、
（ｇ）前記被験者に対する前記知られた状態の基線出力測定値に予め定められた閾値係数を掛けて、前記被験者用の嗜眠状態出力測定閾値を得る
ステップを含む方法。
【請求項１５】  人間の被験者における、警戒状態、嗜眠状態、睡眠、意識消失、または感覚消失に関する連続体に沿った状態を測定するために改造したシステムで使用され、前記システムは、前記被験者からリズミカルな成分を含む脳波信号を得る手段と、前記脳波信号に応答して、前記脳波信号を、対応する複数の離散時間で前記脳波信号の振幅を示す連続する複数のディジタルデータ要素に変換する変換手段とを持ち、そこから前記被験者の前記状態を示す出力測定信号を出力し、前記出力測定信号を生成する方法は、
（ａ）前記被験者からリズミカルな成分を含む前記脳波信号の選択したリズミカルな成分を得、
（ｂ）３０Ｈｚより上の周波数を含む少なくとも１つの周波数範囲を規定し、
（ｃ）そのような規定した範囲の各々に対して、その規定した範囲内にある周波数で前記信号の成分に起因して前記脳波信号に対する寄与を決定し、そして
（ｄ）複数の前記規定した範囲を組み合せて決定された前記脳波信号に対する前記寄与に応答して、前記出力測定信号を決定するステップを含み、
ステップ（ｄ）は、
（ｄ１）そのような規定した範囲の各々に対して、その規定した範囲内の周波数に対応する信号成分による前記脳波信号において含まれるエネルギの逆数を決定し、
（ｄ２）そのような規定した範囲の各々に対して、前記対応する逆数エネルギ値にそれぞれの予め規定された重みを加え、
（ｄ３）複数の前記規定した範囲の前記重み付けた逆数エネルギ値を演算的に結合することによって前記出力測定信号の値を決定する、
ステップをさらに有する方法。
【請求項１６】  人間の被験者における、警戒状態、嗜眠状態、睡眠、意識消失、または感覚消失に関する連続体に沿った状態を測定するために改造したシステムであって、
前記被験者からリズミカルな成分を含む電気脳波信号を取得する手段と、
３０Ｈｚより上の周波数を含む予め定められた周波数範囲にある前記脳波信号の成分を選択する手段と、
前記範囲にある周波数に対応する前記信号の成分に応答して、前記被験者の前記状態を表わす出力測定信号を出力する手段とを有し、
前記出力測定信号を出力する前記手段は、アーティファクトが前記脳波信号内に存在するときにその応答を変更するように適合されているシステム。
【請求項１７】  前記出力測定信号を出力する前記手段は、前記被験者の前記状態が警戒状態に近づくとき、前記出力測定信号を第１の方向に変化させ、
前記出力測定信号を出力する前記手段は、前記脳波信号内のアーティファクトの存在に応答して、前記出力測定信号を前記第１の方向へ変化させる、請求項１６のシステム。